(57)【要約】【課題】ＱＲコード等を用いて、無線ＬＡＮや撮影条件の設定を簡易に行うことが可能な撮像装置、撮像装置の設定方法及びプログラムを提供すること。【解決手段】この撮像装置は、少なくとも無線ＬＡＮの設定、或いは撮影条件の設定等に係る所定の設定情報に係るＱＲコードを生成し表示デバイス１１に表示し、他の撮像装置により表示されたＱＲコードを撮像素子１４により撮像し、該撮像されたＱＲコードをデコードして所定の設定情報を読み出し該設定情報に基づく設定を行う主制御部１と、設定情報を所定の記憶領域８ａ，８ｂに記憶する記憶部８とを備える。【選択図】      図１
2009141472.tif 000002
【特許請求の範囲】
【請求項１】
被写体像を撮像する撮像手段と、
少なくとも所定の設定情報に係る画像を表示する表示手段と、
上記所定の設定情報をエンコードして上記画像を生成し上記表示手段に表示する第１の機能と、他の撮像装置により表示された画像を上記撮像手段により撮像し、該撮像された画像をデコードして上記所定の設定情報を読み出し、該設定情報に基づく設定を行う第２の機能と、を有する制御手段と、
上記設定情報を所定の記憶領域に記憶する記憶手段とを備えた
ことを特徴とする撮像装置。
【請求項２】
上記所定の設定情報とは、通信設定に係る情報である
ことを特徴とする請求項１に記載の撮像装置。
【請求項３】
上記所定の設定情報とは、撮影条件の設定に係る情報である
ことを特徴とする請求項１に記載の撮像装置。
【請求項４】
上記制御手段により、上記所定の設定情報をエンコードして生成される上記画像とは２次元バーコードに係る画像である
ことを特徴とする請求項１に記載の撮像装置。
【請求項５】
上記所定の設定情報とは、撮影条件の設定に係る情報であり、
上記制御手段は、上記撮影条件の設定に係る情報をデコードして画像を生成するに際して、上記記憶手段に記憶された画像データに基づくサムネイル表示を上記表示手段にて行い、所望とする撮影条件の設定に係る情報を該サムネイル表示された画像を選択することで特定するように促す
ことを特徴とする請求項１に記載の撮像装置。
【請求項６】
第１の撮像装置と第２の撮像装置とにより所定の設定情報に基づく設定を行う撮像装置の設定方法において、
上記第１の撮像装置が、第１の制御手段により所定の設定情報をエンコードして画像を生成し表示手段に表示するステップと、
上記第２の撮像装置は、第２の制御手段により上記第１の撮像装置の上記表示手段に表示された画像を撮像手段により撮像し、該撮像された画像をデコードして上記所定の設定情報を読み出し、該設定情報に基づく設定を行うステップとを有する
ことを特徴とする撮像装置の設定方法。
【請求項７】
上記第２の撮像装置において、上記第２の制御手段は、上記所定の設定情報に係る上記画像を撮像するに際して、マクロモードに切り替えるよう制御する
ことを特徴とする請求項６に記載の撮像装置の設定方法。
【請求項８】
上記第２の撮像装置において、上記第２の制御手段は、上記所定の設定情報に基づく設定を行うに際して、該設定を実現する機能を備えていない場合には、上記表示手段に所定の警告表示をなすか、或いは該設定に最も近い設定となるように制御する
ことを特徴とする請求項６に記載の撮像装置の設定方法。
【請求項９】
コンピュータが、
所定の設定情報をエンコードして画像を生成し表示手段に表示する第１の機能と、他の撮像装置により表示された画像を撮像手段により撮像し、該撮像された画像をデコードして上記所定の設定情報を読み出し、該設定情報に基づく設定を行う第２の機能とを有する制御手段として機能する
ことを特徴とするプログラム。
【発明の詳細な説明】
【技術分野】
【０００１】
本発明は、デジタルカメラ等の撮像装置等に係り、特に例えば無線ＬＡＮ(Local Area Network)や撮影条件等の設定を簡易に行うための技術分野に関する。
【背景技術】
【０００２】
従来、デジタルカメラやデジタルビデオカメラ等の撮像装置は、多機能化が進められており、これら各種機能を実現するためには様々な設定が必要となる。
【０００３】
一例として、デジタルカメラ等の撮像装置の中には、無線ＬＡＮ機能が搭載され、該無線ＬＡＮ機能により、撮像された画像データをインターネット等のネットワークを介してプロバイダ等のサーバにアップロードすることができる機種もある。
【０００４】
この無線ＬＡＮ機能を実現するためには、ＳＳＩＤ(Service Set Identifier)や認証方式、暗号化方式等を予め設定しておかなければならず、それはユーザにとって煩雑なものである。このような問題に鑑みて、例えば、特許文献１，２では、パーソナルコンピュータ（以下、パソコンという）で無線ＬＡＮの設定を行い、設定情報を有線経由で無線機器に送信して設定させる技術が開示されている。即ち、より詳細には、特許文献１では、電子カメラとパソコンをケーブルによって有線接続し、電子カメラにおいて、パソコンから無線ＬＡＮの設定に関するネットワーク情報を取得し、該情報に基づいて、パソコンのプロファイルを作成して記憶し、該プロファイルに基づいて、無線ＬＡＮ無線通信を行う電子カメラに関する技術が開示されている。
【０００５】
また、特許文献３では、既に無線ＬＡＮのネットワーク設定がなされている機器から同じネットワーク設定を他の機種に設定させる方法が開示されている。より詳細には、特許文献３では、機器同士を接続した有線ケーブルを介した画像などのデータ通信を検出した場合に、予め送信された無線通信パラメータを使用するかの判別を行うことで、使用者が意図しない場合でも通信パラメータの設定が行われてしまう不具合を少なくする通信機器に関する技術が開示されている。
【０００６】
さらに、特許文献４では、ＱＲコードリーダとしてのデジタルカメラを備え、該デジタルカメラで撮影されたＱＲコードを復号化して、無線ＬＡＮ設定のための構成情報を再生し、該構成情報に基づいて設定を行う携帯電話に関する技術が開示されている。
【０００７】
一方、撮影された画像の出来が良好な場合、ユーザにより同じような画像を撮影することが嘱望されることがあるが、その為には、撮影時のカメラ設定と同じ情報（焦点距離やシャッタスピード、レンズＦ値、ＩＳＯ感度、測光モード、光源等）を設定する必要がある。このような設定を容易にする為の技術について、以下の提案がなされている。
【０００８】
即ち、特許文献５では、撮影した画像と、その画像を撮影した設定値をバーコードにエンコードしてオリジナル画像との合成画像を作成し、プリントアウトした印刷物のバーコードを撮影することで同じ設定での撮影が可能となる撮像装置に関する技術が開示されている。特許文献６では、カメラのメーカ側が用意したサンプル画像とその設定をバーコード化したカードを撮影することにより、設定を可能とする技術が開示されている。
【０００９】
【特許文献１】特開２００７−２００３７号公報
【特許文献２】特開２００７−８１８９０号公報
【特許文献３】特開２００７−８６９９１号公報
【特許文献４】特開２００６−１５７８１５号公報
【特許文献５】特開２００４−１９３６４５号公報
【特許文献６】特開２００４−２２８７８４号公報
【発明の開示】
【発明が解決しようとする課題】
【００１０】
しかしながら、特許文献１，２の技術では、有線ケーブルを必要とし、しかもパソコンを立ち上げて設定するといった具合に手間がかかり煩雑である。同様に、特許文献３の技術でも、有線ケーブルが必要となり、有線ケーブルを持ち合わせてない場合には設定できない。更に、特許文献４では、設定を入力する、つまり撮影する側の技術だけの開示であって、設定情報をＱＲコードにて出力する側の技術については開示されていない。
【００１１】
一方、撮影条件の設定に係る特許文献５，６について、特許文献５の技術では、「合成画像」にしてしまうとファイルサイズが大きくなり、印刷時に余計な情報まで印刷されてしまう。そして、特許文献６の技術では、撮影条件の設定の為に常にカードを携帯しなければならず、しかもサンプルカードの条件内でしか設定ができない。
【００１２】
そこで、本発明は、無線ＬＡＮや撮影条件の設定を簡易に行うことを課題とする。
【課題を解決するための手段】
【００１３】
本発明の第１の観点による撮像装置は、被写体像を撮像する撮像手段と、少なくとも所定の設定情報に係る画像を表示する表示手段と、上記所定の設定情報をエンコードして上記画像を生成し上記表示手段に表示する第１の機能と、他の撮像装置により表示された画像を上記撮像手段により撮像し、該撮像された画像をデコードして上記所定の設定情報を読み出し、該設定情報に基づく設定を行う第２の機能と、を有する制御手段と、上記設定情報を所定の記憶領域に記憶する記憶手段とを備える。
【００１４】
従って、設定情報が画像化され、他装置により生成された設定情報に係る画像がデコードされて該設定情報が復号され、該設定情報により自装置の設定が行われる。
【００１５】
この第１の観点において、上記所定の設定情報とは、通信設定に係る情報、或いは撮影条件の設定に係る情報であってもよい。また、この第１の観点において、上記制御手段により、上記所定の設定情報をエンコードして生成される上記画像とは２次元バーコードに係る画像であってもよい。また、この第１の観点において、上記所定の設定情報とは、撮影条件の設定に係る情報であり、上記制御手段は、上記撮影条件の設定に係る情報をデコードして画像を生成するに際して、上記記憶手段に記憶された画像データに基づくサムネイル表示を上記表示手段にて行い、所望とする撮影条件の設定に係る情報を該サムネイル表示された画像を選択することで特定するように促すようにしてもよい。
【００１６】
本発明の第２の観点に係る撮像装置の設定方法は、第１の撮像装置と第２の撮像装置とにより所定の設定情報に基づく設定を行う撮像装置の設定方法であり、上記第１の撮像装置が第１の制御手段により所定の設定情報をエンコードして画像を生成し表示手段に表示するステップと、上記第２の撮像装置が第２の制御手段により上記第１の撮像装置の上記表示手段に表示された画像を撮像手段により撮像し、該撮像された画像をデコードして上記所定の設定情報を読み出し、該設定情報に基づく設定を行うステップとを有する。
【００１７】
従って、第１の撮像装置により設定情報が画像化され、第２の撮像装置により該画像がデコードされて該設定情報が復号され、該設定情報により自装置の設定が行われる。
【００１８】
この第２の観点において、上記第２の撮像装置において、上記第２の制御手段は、上記所定の設定情報に係る上記画像を撮像するに際して、マクロモードに切り替えるよう制御するようにしてもよい。或いは、この第２の観点において、上記第２の撮像装置において、上記第２の制御手段は、上記所定の設定情報に基づく設定を行うに際して、該設定を実現する機能を備えていない場合には、上記表示手段に所定の警告表示をなすか、或いは該設定に最も近い設定となるように制御するようにしてもよい。
【００１９】
本発明の第３の観点によるプログラムは、コンピュータが、所定の設定情報をエンコードして画像を生成し表示手段に表示する第１の機能と、他の撮像装置により表示された画像を撮像手段により撮像し、該撮像された画像をデコードして上記所定の設定情報を読み出し、該設定情報に基づく設定を行う第２の機能とを有する制御手段として機能する。
【００２０】
従って、プログラムに基づくソフトウェア処理により、設定情報が画像化され、他装置により生成された設定情報に係る画像がデコードされて該設定情報が復号され、該設定情報により自装置の設定が行われる。
【発明の効果】
【００２１】
本発明によれば、無線ＬＡＮや撮影条件の設定を簡易に行うことが可能な撮像装置、撮像装置の設定方法及びプログラムを提供することができる。
【発明を実施するための最良の形態】
【００２２】
以下、図面を参照して、本発明を実施するための最良の形態（以下、単に実施の形態と称する）について詳細に説明する。
【００２３】
本発明の実施の形態に係る撮像装置は、以下を特徴の一つとする。
【００２４】
即ち、撮像装置は、無線ＬＡＮの設定情報や撮影条件等の情報をエンコードして画像データとして出力しＱＲコード等の画像として表示する機能と、他の撮像装置により表示された該画像を撮像してデコードし無線ＬＡＮの設定情報や撮影条件等の情報を読み出して自らの設定とする機能とを備える。以下、第１，２の各実施の形態を詳述する。
（第１の実施の形態）
図１には、本発明の第１の実施の形態に係る撮像装置の構成を示し説明する。
【００２５】
なお、この撮像装置としては、例えばデジタルカメラ等への適用が可能である。
【００２６】
この図１に示されるように、撮像装置１００は、全体の制御を司る制御手段としての主制御部１を備えている。この主制御部１は、メモリスティック等の記録メディア２、操作キーやスイッチ等の操作入力部３、電源制御部４、通信部５、オーディオ制御部６、映像出力部７、記憶手段としての記憶部８、メモリ１７と接続されている。
【００２７】
音声の入出力の制御を司るオーディオ制御部６は、音声入力を受け付けるマイクロフォン９及び音声出力を行うスピーカ１０と更に接続されている。映像出力部７は、表示手段としての表示デバイス１１と接続されている。
【００２８】
撮影光学系１２からの入射光の光軸上には撮像手段としての撮像素子１４が配設されており、該撮像素子１４の出力は映像信号処理部１５を介して、主制御部１に接続されている。この撮影光学系１２は、被写体光を撮像素子に集光するためのフォーカスレンズ、該フォーカスレンズを駆動してフォーカス合わせやズーミングを行うための駆動機構、開閉操作により被写体光を所定時間だけ撮像素子に入射させるシャッタ機構等を概念上含んでいる。このフォーカスレンズを駆動制御するレンズ制御部１３は、主制御部１に接続されている。撮像素子１４は、ＣＣＤ(Charge Coupled Device)イメージャやＣＭＯＳ(Complementary Metal Oxide Semiconductor)イメージャ等で構成されている。より詳細には、撮像素子１４では、ＣＣＤやＣＭＯＳ等の各画素が２次元に配列されており、被写体からの入射光を各画素で受光して映像信号に変換するよう構成されている。
【００２９】
そして、通信部５は、少なくとも無線ＬＡＮインターフェース（以下、Ｉ／Ｆと略記する）５ａ、ＵＳＢ(Universal Serial Bus ) Ｉ／Ｆ５ｂを更に備えている。このＵＳＢ Ｉ／Ｆ５ｂには、外部装置としてのパーソナルコンピュータ（以下、パソコンと略記する）１０１が接続され得る。また、オーディオ制御部６、映像出力部７は、不図示の外部端子を介して外部機器１０２としてのテレビジョンシステム等に接続され得る。
【００３０】
このような構成において、操作入力部３に概念上含まれるパワースイッチがオンされると、電源制御部４より主制御部１に電源供給がなされ、更に各部に電源が供給される。主制御部１は、メモリ１７に格納された制御プログラム１６を読み出し実行する。
【００３１】
主制御部１は、この制御プログラム１６を実行することで、詳細な後述するが、ＱＲコード生成・解読部１６ａとして機能する。
【００３２】
そして、操作入力部３に概念上含まれるレリーズ釦などが操作され、撮影指示がなされると、主制御部１の制御の下、撮影動作に移行する。
【００３３】
即ち、撮影光学系１２を介して入射した被写体光は撮像素子１４の受光面にて受光され光電変換され、撮像信号が出力される。この撮像信号は、映像信号処理部１５にて、ディジタルの画像信号に変換された後、各種の信号処理が施され、主制御部１に送られる。詳細には、映像信号処理部１５は、例えば、ディジタルの画像信号に変換した後、該画像信号に対して、欠陥画素補正等の前処理を施し、オートホワイトバランス調整、コントラスト調整等の所定の画質補正を行うことになる。こうして、主制御部１は、送られてきた画像信号を記録メディア２等に記録し、又は映像出力部７を介して外部機器１０２或いは表示デバイス１１にて表示することになる。
【００３４】
この撮影時に、併せて音声収録を行うことを操作入力部３の操作により指示された場合には、マイクロフォン９より入力された音声信号がオーディオ制御部６にてディジタル音声信号に変換された後、主制御部１に送られる。システム制御部６は、該ディジタル音声信号を画像信号と対応付けて記録メディア２に記録する。このディジタル音声信号を出力する際には、主制御部１が該信号を読み出し、オーディオ制御部６にて音声信号に変換した後、スピーカ１０或いは外部機器１０２より出力する。
【００３５】
このように、撮像装置１００は、主制御部１の処理によって、通信設定としての無線ＬＡＮの設定に係る情報（以下、無線ＬＡＮ設定情報という）や撮影条件の設定に係る情報（以下、撮影設定情報という）を特定の画像にエンコードし、表示デバイス１１に表示することが可能である。この無線ＬＡＮ設定情報は記憶部８の無線ＬＡＮ設定領域８ｂに格納され、撮影設定情報は撮影設定領域８ａに格納される。
【００３６】
そして、特定の画像として、この実施の形態では、二次元バーコードを採用する。二次元コードとしてのＱＲコードは、文字として数字は３文字を１０ｂｉｔで表現し７０８９文字を格納可能であり、英数字は２文字を１１ｂｉｔで表現し４２９６文字を格納可能であり、８ｂｉｔのバイトデータは２９５３文字を格納可能であり、漢字データは１文字を１３ｂｉｔで表現し１８１７文字が格納可能である。この実施の形態では、二次元バーコードとして、特に一例としてＱＲコードを採用する。
【００３７】
尚、制御手段としての主制御部１は、メモリ１７に格納されている制御プログラム１６を読み出し、実行することで、所定の設定情報をエンコードしてＱＲコードを生成し表示デバイス１１に表示する第１の機能と、他の撮像装置により表示された画像を撮像素子１４により撮像し、該撮像された画像をデコードして所定の設定情報を読み出し該設定情報に基づく設定を行う第２の機能とを実現するためのＱＲコード生成・解読部１６ａとして機能することになる。
【００３８】
ここで、表示デバイス１１の画面に表示されるメニューの一例は、図２（ａ）乃至（ｅ）に示される通りである。
【００３９】
先ず、図２（ａ）に示したのは、設定メニュー画面２１０であり、画質選択２１１、光源２１２、無線ＬＡＮ設定２１３、撮影設定読取２１４の中から所望とする項目を選択することができる。図２（ｂ）に示したのは、無線ＬＡＮ設定画面２２０であり、設定選択２２１、設定新規追加２２２、設定画像出力２２３、無線ＬＡＮ設定読取２２４の複数の項目の中から所望とする項目を選択することができる。
【００４０】
図２（ｃ）に示したのは、再生メニュー画面２３０であり、消去２３１、スライドショー２３２、プロパティ表示２３３、撮影設定画像出力２３４の中から所望とする項目を選択することができる。図２（ｄ）に示したのは、設定一覧画面２６０であり、アクセスポイントＡ２６１、Ｂ２６２、Ｃ２６３、Ｄ２６４の中から所望とする設定対象を選択することができる。そして、図２（ｅ）に示したのは、２次元バーコードとしてのＱＲコードの表示例である。画面２４０にはＱＲコード２４１が表示される。
【００４１】
これら画面相互の遷移について更に言及すると、設定メニュー画面２１０において、無線ＬＡＮ設定２１３の項目が選択されると、無線ＬＡＮ設定画面２２０が表示され、該無線ＬＡＮ設定画面２２０において設定選択２２１の項目が選択されると、設定一覧画面２６０が表示され、設定を所望とするアクセスポイントを選択できるようになる。無線ＬＡＮ設定画面２２０において設定画像出力２２３の項目が選択され、或いは再生メニュー画面２３０において撮影設定画像出力２３４の項目が選択された場合には、ＱＲコード２４１を含む画面２４０が表示されることになる。
【００４２】
次に図３には撮影設定情報をＱＲコード化する際のデータフォーマットを示し説明する。即ち、この図３に示されるように、撮影設定情報は、ヘッダ部３００、メーカ部３０１、モデル名３０２、焦点距離３０３、シャッタスピード３０４、レンズＦ値３０５、ＩＳＯ感度３０６、光源３０７、フラッシュ３０８、露光プログラム３０９の各情報で構成されている。これら情報が、主制御部１のＱＲコード生成・解読部１６ａによりＱＲコード化され、表示デバイス１１にＱＲコードとして表示される。
【００４３】
なお、エンコードするデータは、上記３０１乃至３０９に限定されるものではなく、一般的なカメラ設定に使用される値であってもよい。ヘッダ部３００については、ＱＲコードが撮影設定であることを示す固定値を入れる。この図３の例では、0xFF88 0xFFCCを入れているが、サイズ、値共に限定されるものではない。
【００４４】
以下、図４、図５のフローチャートを参照して、本発明の第１の実施の形態に係る撮像装置による、任意の画像の撮影設定情報をＱＲコード化して出力し、他機でそのＱＲコードを撮影することにより撮影設定を可能にする方法を説明する。
【００４５】
先ず、図４のフローチャートを参照して、本発明の第１の実施の形態に係る撮像装置による、任意の画像の撮影時の設定に係る撮影設定情報をＱＲコード化して出力する処理手順を詳細に説明する。以下では、ＱＲコードを出力する側の撮像装置１００を「第一の撮像装置」と定義して、説明を進めることにする。
【００４６】
第一の撮像装置が再生モードにあるときにおいて、撮影設定情報を取得する画像が表示デバイス１１に表示されている際に操作入力部３に概念上含まれるメニューキーが押下されると、主制御部１は、再生メニュー２３０を表示デバイス１１に表示する。この再生メニュー２３０より撮影設定画像出力２３４の項目が選択されると、主制御部１は表示中の画像ファイルに記録されているExifデータを読み込む（ステップＳ１）。
【００４７】
ここで、Exifとは“Exchangeable Image File Format”の略称であり、撮影した画像の撮影日時やサムネイル画像、そのときの撮像装置の設定値を画像データのヘッダ部に記載する規格であり、国内のデジタルカメラやカメラ付き携帯カメラ等の撮像装置において略１００％対応されている。尚、図５には、本実施の形態で使用するExifデータの指定タグ番号におけるデータ内容とその値を示している。
【００４８】
この実施の形態では、ＱＲコード化されるデータ値はExifデータ値をそのまま利用するものとし、先に説明した図３では、第一の撮像装置のメーカ３０１は“PHONY”、モデル名３０２は“MODEL-DSC-1000X”、焦点距離３０３は“３３ｍｍ”、シャッタスピード３０４は“１／１２５秒”、レンズＦ値３０５は“５．２”、ＩＳＯ感度３０６は“１００”、光源３０７は“ストロボ発光あり”、フラッシュ３０８は“昼光”、露光プログラム３０９は“ポートレートモード”、を示す値を例として記載している。
【００４９】
主制御部１は、こうして読み込んだExifデータから、先に図３に示したデータフォーマットに従ったデータ配列に変換し、ヘッダ部３００のデータを付加し、ＱＲコード２４１として画像処理し（ステップＳ２）、生成したＱＲコード２４１を表示デバイス１１に表示し（ステップＳ３）、こうして一連の処理を終了する。
【００５０】
尚、撮影設定情報を取得する画像を表示デバイス１１に表示するにあたり、画像をサムネイル表示し、所望とする画像を選択し易いようにしてもよい。
【００５１】
次に、図６のフローチャートを参照して、本発明の第１の実施の形態に係る撮像装置による、第１の撮像装置で生成され表示されたＱＲコードを、第２の撮像装置により撮影することで、撮影設定情報を取得し、設定する処理手順を詳細に説明する。
【００５２】
以下では、ＱＲコードを撮影し、撮影設定情報を取得し設定する側の撮像装置１００を「第二の撮像装置」と定義して、説明を進めることにする。
【００５３】
第二の撮像装置が撮影モードにあるときにおいて、操作入力部３に概念上含まれるメニューキーが押下されると、主制御部１は、設定メニュー画面２１０を表示デバイス１１に表示する。この状態で撮影設定読取２１４の項目が選択されると、主制御部１は、ＱＲコード撮影モードに遷移する。このときに主制御部１は、第二の撮像装置内部にて設定されている撮影モードを退避しておく（ステップＳ１１）。その後、主制御部１は、第二の撮像装置内部の撮影モードを近接用のマクロモードにする（ステップＳ１２）。
【００５４】
この状態下で、主制御部１は、第一の撮像装置の表示デバイス１１に表示されたＱＲコード２４１を撮影するまで待機する（ステップＳ１３）。撮影された場合には、主制御部１は、画像データがＱＲコードであるか否かを判断する（ステップＳ１４）。
【００５５】
このステップＳ１４にて、ＱＲコードであると認識できない場合、主制御部１は、表示デバイス１１にエラーメッセージを表示し（ステップＳ１９）、先に退避した撮影モードに設定し直して（ステップＳ２０）、一連の処理を終了することになる。
【００５６】
一方、ステップＳ１４において、ＱＲコードを認識できた場合は（ステップＳ１４をＹｅｓに分岐）、主制御部１は、該ＱＲコードをデコードする（ステップＳ１５）。
【００５７】
続いて、このデコードした情報がフォーマットに従った情報であるか、つまり、この例では、ヘッダ部３００の値が撮影設定情報であることを示す0xFF88 0xFFCCであるか否かを判断する（ステップＳ１６）。そして、ヘッダ部３００の値が0xFF88 0xFFCCではない場合は、フォーマットに従っていないと判別して、主制御部１は、表示デバイス１１にエラーメッセージを表示し（ステップＳ１９）、先に退避した撮影モードに設定し直して終了する（ステップＳ２０）、一連の処理を終了することになる。
【００５８】
ステップＳ１６において、デコードした情報がフォーマットに従っていると判断した場合は、主制御部１は、焦点距離３０３、シャッタスピード３０４、レンズＦ値３０５、ＩＳＯ感度３０６、光源３０７、フラッシュ３０８、露光プログラム３０９を自機種の設定として記憶部８の撮影設定領域８ａに書き込む（ステップＳ１７）。その後、設定完了のメッセージを表示デバイス１１に表示し（ステップＳ１８）、先に退避した撮影モードに設定し直し（ステップＳ２０）、一連の処理を終了する。
【００５９】
尚、ステップＳ１２において、撮影モードをマクロモードに変更するにあたり、発光禁止モードに合わせて設定し、或いは強制発光モードに設定されている場合に、該強制発光を禁止するように、合わせて設定してもよいことは勿論である。これは、ＱＲコードを読み取るにあたり、フラッシュの発光は好ましくないからである。
【００６０】
また、撮影設定情報の設定に係る上記一連の処理を実施するに際して、ユーザに対してアナウンスをスピーカ１０からの音声出力等により実施してもよい。
【００６１】
ここで、第一の撮像装置と第二の撮像装置とで機種やメーカが異なった場合に、撮影設定が困難なケースが考えられる。例えば第一の撮像装置のＩＳＯ感度対応範囲が３２００なのに対し、第二の撮像装置ではＩＳＯ感度が１６００までしか対応していない場合などが考えられるが、この場合は第二の撮像装置がこの設定のＱＲコードをデコードした際にはＩＳＯ３２００に一番近い値であるＩＳＯ１６００に補正して記憶部８の撮影設定領域８ａに書き込んでも良いし、「設定できませんでした」などといったエラーメッセージを表示デバイス１１に表示させても良い。つまり、設定範囲外の値がバーコードに記録されていたとしても、近似値を使って設定しても良いし、エラーメッセージを表示して設定不可としても良いことは勿論である。これによれば、スペックが不一致の場合においても撮影設定情報の設定を行うことが可能となる。
【００６２】
以上説明したように、本発明の第１の実施の形態によれば、被写体像を撮像する撮像素子１４と、少なくとも撮影設定情報に係る画像を表示する表示デバイス１１と、撮影設定情報をエンコードして画像を生成し表示デバイス１１に表示し、或いは他の撮像装置により表示された画像を撮像素子１４により撮像し、該撮像された画像をデコードして撮影設定情報を読み出し、該撮影設定情報に基づく設定を行うＱＲコード生成・解読部１６ａを備えた主制御部１と、この撮影設定情報を記憶領域８ａに記憶する記憶部８とを備えた撮像装置、該撮像装置の設定方法及びプログラムが提供される。
【００６３】
従って、第１の実施の形態によれば、ＱＲコード生成・解読部１６ａにより、撮影条件の設定をＱＲコードにより簡易且つ迅速に行うことが可能となる。
【００６４】
（第２の実施の形態）
次に本発明の第２の実施の形態について説明する。
【００６５】
この第２の実施の形態に係る撮像装置では、無線ＬＡＮ設定情報をＱＲコード化して出力し、或いは他機が出力したＱＲコードを読み取り、デコードして無線ＬＡＮ設定情報を復号して自己に該情報を設定することを可能とするものである。尚、第２の実施の形態に係る撮像装置の基本構成は、第１の実施の形態（図１）と同様であるので、ここでは重複した説明は省略し、同一構成は同一符号をもって説明する。
【００６６】
図７には、無線ＬＡＮ設定情報のデータフォーマットを示し説明する。
【００６７】
即ち、無線ＬＡＮ設定情報は、ヘッダ部５００、接続先プロバイダ５０１、ユーザＩＤ５０２、パスワード５０３、接続先のＳＳＩＤ(Service Set Identifier)５０４、チャンネル情報５０５、認証方式５０６、暗号方式５０７、暗号キー５０８、接続方式５０９の各情報からなる。認証方式５０６としては、撮像装置のＭＡＣアドレス認証の情報やIEEE802.1X認証等の情報が記憶される。暗号方式５０７としてはWEPや共通鍵を利用したAES、WPA（Wi-Fi Protected Access）等の情報が記憶される。暗号キー５０８としては、暗号方式で採用する暗号キーが記憶される。例えば、暗号方式としてWEPを採用する場合には、64bitから128bitのWEPキー（暗号鍵）が記憶される。暗号方式としてWPAを採用する場合には、所定の登録項目も記憶される。接続方式５０９としてはIEEE802.11／11b／11a／11gなどの情報が記憶される。
【００６８】
なお、ここでＱＲコード化されるデータは、これらに限定されるものではなく、一般的な無線LAN設定に関するものを採用できるものとする。
【００６９】
また、ユーザＩＤとパスワードを除いたものを無線ＬＡＮ設定情報と定義し、ユーザＩＤとパスワードを除いた無線ＬＡＮ設定情報により仮設定を行い、ユーザＩＤとパスワードの入力を受けて設定完了とするようにしてもよい。
【００７０】
以下、図８、図９のフローチャートを参照して、本発明の第２の実施の形態に係る撮像装置による、無線ＬＡＮ設定情報をＱＲコード化して出力し、他機でそのＱＲコードを撮影することにより無線ＬＡＮ設定情報の設定を可能にする方法を説明する。
【００７１】
尚、以下の説明では、第一の撮像装置は無線ＬＡＮの設定済みではあるが、第二の撮像装置は無線ＬＡＮの設定は済んでいない状態であるものとする。
【００７２】
先ず、図８のフローチャートを参照して、本発明の第２の実施の形態に係る撮像装置による、無線ＬＡＮ設定情報をＱＲコード化して出力する処理手順を詳細に説明する。
【００７３】
第一の撮像装置にて操作入力部３に概念上含まれるメニューキーが押下されると、主制御部１は、設定メニュー画面２１０を表示デバイス１１に表示する。この設定メニュー画面２１０において無線ＬＡＮ設定２１３が選択されると、主制御部１は、無線ＬＡＮ設定画面２２０を表示デバイス１１に表示する。さらに、この画面２２０において、設定画像出力２２３が選択されると、主制御部１は、記憶部８の無線ＬＡＮ設定領域８ｂに保存してある無線ＬＡＮ設定領域８ｂの情報に基づいて設定一覧画面２６０を表示デバイス１１に表示する。この設定一覧画面２６０から第二の撮像装置で設定したい無線ＬＡＮの設定（この例では“アクセスポイントＡ”の設定２６１）が選択されると、主制御部１は、接続先プロバイダ５０１、ユーザＩＤ５０２、パスワード５０３、接続先のＳＳＩＤ５０４、チャンネル情報５０５、認証方式５０６、暗号方式５０７、暗号キー５０８、接続方式５０９を読み込む（ステップＳ３０）。そして、これらにヘッダ部５００を付加した無線ＬＡＮ設定情報をエンコードし、ＱＲコード２４１に画像化して（ステップＳ３１）、表示デバイス１１に表示し（ステップＳ３２）、一連の処理を終了する。
【００７４】
次に、図９のフローチャートを参照して、本発明の第２の実施の形態に係る撮像装置による、第１の撮像装置で生成され表示されたＱＲコードを、第２の撮像装置により撮影することで、無線ＬＡＮ設定情報を取得し、設定する処理手順を詳細に説明する。
【００７５】
第二の撮像装置において、設定メニュー画面２１０にて無線ＬＡＮ設定２１３が選択されると、主制御部１は無線ＬＡＮ設定画面２２０を表示デバイス１１に表示する。この画面２２０において、無線ＬＡＮ設定読取２２４が選択されると、主制御部１は、ＱＲコードの撮影モードに遷移するように制御することになる。
【００７６】
第二の撮像装置が撮影モード時に、操作入力部３に概念上含まれるメニューキーが押下されると、主制御部１は、設定メニュー画面２１０を表示デバイス１１に表示する。この状態下で、撮影設定読取２１４の項目が選択されると、主制御部１は、ＱＲコード撮影モードに遷移するよう制御する。このときに第二の撮像装置内部にて設定されている撮影モードを退避しておく（ステップＳ４１）。その後、主制御部１は、第二の撮像装置内部の撮影モードを近接用のマクロモードにする（ステップＳ４２）。
【００７７】
この状態下で、主制御部１は、第一の撮像装置の表示デバイス１１に表示されたＱＲコード２４１を撮影するまで待機する（ステップＳ４３）。そして、撮影された場合には、画像データがＱＲコードであるか否かを判断し（ステップＳ４４）、ＱＲコードであると認識できない場合には表示デバイス１１にエラーメッセージを表示させ（ステップＳ４９）、先に退避した撮影モードに設定し直して（ステップＳ５０）、処理を終了する。
【００７８】
一方、ステップＳ４４において、ＱＲコードを認識できた場合は（ステップＳ４４をＹｅｓに分岐）、主制御部１は、該ＱＲコードをデコードする（ステップＳ４５）。
【００７９】
続いて、主制御部１は、デコードした情報がフォーマットに従った情報であるか、つまりヘッダ部５００が存在するか否かを判断する（ステップＳ４６）。ここで、ヘッダ部５００が存在しない場合は、フォーマットに従っていないと判別して、表示デバイス１１にエラーメッセージを表示させ（ステップＳ４９）、先に退避した撮影モードに設定し直して終了する（ステップＳ５０）。一方、ステップＳ４６において、デコードした情報がフォーマットに従っていると判断した場合、主制御部１は、接続先プロバイダ、ユーザＩＤ、パスワード、接続先のＳＳＩＤ、チャンネル情報、認証方式、暗号方式、暗号キー、接続方式、を自機種の無線ＬＡＮ設定として記憶部８の無線ＬＡＮ設定領域８ｂに書き込む（ステップＳ４７）。こうして、主制御部１は、設定完了のメッセージを表示デバイス１１に表示し（ステップＳ４８）、先に退避した撮影モードに設定し直し（ステップＳ５０）、こうして一連の処理を終了する。
【００８０】
尚、ステップＳ４２において、撮影モードをマクロモードに変更するにあたり、発光禁止モードに合わせて設定し、或いは強制発光モードに設定されている場合に、該強制発光を禁止するように、合わせて設定してもよいことは勿論である。これは、ＱＲコードを読み取るにあたり、フラッシュの発光は好ましくないからである。
【００８１】
また、撮影設定情報の設定に係る上記一連の処理を実施するに際して、ユーザに対してアナウンスをスピーカ１０からの音声出力等により実施してもよい。
【００８２】
ここで、第一の撮像装置と第二の撮像装置とで機種やメーカが異なった場合に、無線ＬＡＮ設定が困難なケースが考えられる。例えば第一の撮像装置の対応可能な暗号方式と第二の撮像装置の対応可能な暗号方式とが対応していない場合などが考えられるが、この場合は、同レベルの暗号方式に対応可能であれば該方式に設定し、或いはエラーメッセージを表示デバイス１１に表示させても良い。これによれば、スペックが不一致の場合においても撮影設定情報の設定を行うことが可能となる。
【００８３】
以上説明したように、本発明の第２の実施の形態によれば、被写体像を撮像する撮像素子１４と、少なくとも無線ＬＡＮ設定情報に係るＱＲコードを表示する表示デバイス１１と、無線ＬＡＮ設定情報をエンコードしてＱＲコードを生成し表示デバイス１１に表示し、或いは他の撮像装置により表示されたＱＲコードを撮像素子１４により撮像し、該撮像された画像をデコードして無線ＬＡＮ設定情報を読み出し、該無線ＬＡＮ設定情報に基づく設定を行うＱＲコード生成・解読部１６ａを備えた主制御部１と、この無線ＬＡＮ設定情報を記憶領域８ｂに記憶する記憶部８とを備えた撮像装置、該撮像装置の設定方法及びプログラムが提供される。
【００８４】
従って、第２の実施の形態によれば、ＱＲコード生成・解読部１６ａにより、無線ＬＡＮの設定をＱＲコードにより簡易且つ迅速に行うことが可能となる。
【００８５】
以上詳述したように、本発明の第１及び第２の実施の形態によれば、設定の際にデータ転送の為に特別にデバイス（例えば有線ケーブル）を使用する必要が無いので、設定の煩雑さが低減され、外出先でも簡易に設定可能となる。また、ＱＲコード等の２次元バーコードを読み取るだけで、自動的に設定がなされるので、設定作業において一項目一項目を手入力する必要が無く入力負担が軽減される。また、設定用のバーコードは生成後、表示するだけで保存などはしないので、データ容量的にも有利である。
【００８６】
また、第１の実施の形態によれば、サンプル画像などに限定されずに、気に入った画像が撮影されたときのカメラ設定を簡易且つ迅速に設定することができる。そのとき、オリジナル画像の撮影時の設定情報をいちいち確認する必要が無い。
【００８７】
そして、第２の実施の形態によれば、他機種での無線ＬＡＮ等のネットワーク設定情報を確認しながら手入力することなく、撮影するだけで自動的に設定することができるのでユーザの設定負担が大幅に軽減されることになる。
【００８８】
以上、本発明の実施の形態について説明したが、本発明はこれに限定されることなくその趣旨を逸脱しない範囲で種々の改良・変更が可能であることは勿論である。
【００８９】
例えば、ＱＲコードを出力する第一の機器はデジタルカメラ等の撮像装置に限定されるものではなく、ビデオカメラ、ＰＤＡ、カメラ付き携帯電話の他に撮像手段の無いパソコン、プリンタ等を採用してもよいことは勿論である。
【図面の簡単な説明】
【００９０】
【図１】本発明の第１の実施の形態に係る撮像装置の構成図。
【図２】（ａ）乃至（ｅ）は表示デバイスの画面に表示されるメニュー例を示す図。
【図３】撮影設定情報をＱＲコード化する際のデータフォーマットを示す図。
【図４】本発明の第１の実施の形態に係る撮像装置による、撮影設定情報をＱＲコード化して出力する処理手順を詳細に説明するフローチャート。
【図５】本発明の第１の実施の形態に係る撮像装置で使用するExifデータの指定タグ番号におけるデータ内容とその値を示す図。
【図６】本発明の第１の実施の形態に係る撮像装置による、第１の撮像装置で生成され表示されたＱＲコードを、第２の撮像装置により撮影することで、撮影設定情報を取得し、設定する処理手順を詳細に説明するフローチャート。
【図７】無線ＬＡＮ設定情報のデータフォーマットを示す図。
【図８】本発明の第２の実施の形態に係る撮像装置による、無線ＬＡＮ設定情報をＱＲコード化して出力する処理手順を詳細に説明するフローチャート。
【図９】本発明の第２の実施の形態に係る撮像装置による、第１の撮像装置で生成され表示されたＱＲコードを、第２の撮像装置により撮影することで、無線ＬＡＮ設定情報を取得し、設定する処理手順を詳細に説明するフローチャート。
【符号の説明】
【００９１】
１…主制御部、２…記録メディア、３…操作入力部、４…電源制御部、５…通信部、５ａ…無線ＬＡＮ Ｉ／Ｆ、５ｂ…ＵＳＢ Ｉ／Ｆ、６…オーディオ制御部、７…映像出力部、８…記憶部、９…マイクロフォン、１０…スピーカ、１１…表示デバイス、１２…撮影光学系、１３…レンズ制御部、１４…撮像素子、１５…映像信号処理部、１６…制御プログラム、１７…メモリ、１００…撮像装置、１０１…パソコン、１０２…外部機器、１０４…ネットワーク
【図１】
2009141472.tif 000003
【図２】
2009141472.tif 000004
【図３】
2009141472.tif 000005
【図４】
2009141472.tif 000006
【図５】
2009141472.tif 000007
【図６】
2009141472.tif 000008
【図７】
2009141472.tif 000009
【図８】
2009141472.tif 000010
【図９】
2009141472.tif 000011